(57)【要約】　　　（修正有）【課題】携帯自在な弁当箱、特に、飯容器と菜容器を外ケースに取出自在に収納し、飯容器から菜容器に対する熱影響がないようにした弁当箱を提供する。【解決手段】飯容器１は、断熱保温性を有する器体と、該器体の開口部を開閉自在に施蓋すると共に断熱保温性を有する蓋体８とから成り、菜容器２は、保温性を有しない器体と、該器体の開口部を開閉自在に施蓋すると共に保温性を有しない蓋体２１とから成り、外ケース３は、上部に開口部を有する保温性を有しない下部ケース体４と、下部に開口部を有する保温性を有しない上部ケース体５とから構成され、下部ケース体の上部開口縁に上部ケース体の下部開口縁を着脱自在に連結した状態で、外ケースの内部に横長状の収納室２８を形成して成り、前記収納室は、一側半部に飯容器収納室２８aを形成すると共に、他側半部に菜容器収納室２８bを形成して成る構成である。【選択図】　　図１
0003100210.tif 000002
【実用新案登録請求の範囲】
【請求項１】
飯容器と菜容器を外ケースに取出自在に収納して成る弁当箱において、
　飯容器（１）は、断熱保温性を有する器体（６）と、該器体の開口部を開閉自在に施蓋すると共に断熱保温性を有する蓋体（８）とから成り、
　菜容器（２）は、保温性を有しない器体（１９）と、該器体の開口部を開閉自在に施蓋すると共に保温性を有しない蓋体（２１）とから成り、
　外ケース（３）は、上部に開口部を有する保温性を有しない下部ケース体（４）と、下部に開口部を有する保温性を有しない上部ケース体（５）とから構成され、下部ケース体（４）の上部開口縁に上部ケース体（５）の下部開口縁を着脱自在に嵌合した状態で、外ケース（３）の内部に横長状の収納室２８を形成して成り、
　前記収納室（２８）は、一側半部に飯容器収納室（２８ａ）を形成すると共に、他側半部に菜容器収納室（２８ｂ）を形成して成ることを特徴とする弁当箱。
【請求項２】
飯容器（１）の器体（６）が横断面をほぼ円形とした円筒壁（６ａ）を形成すると共に、菜容器（２）の器体（１９）が横断面をほぼＤ形にすることにより円弧壁（１９ａ）と平坦壁（１９ｂ）を形成し、飯容器（１）の円筒壁（６ａ）の曲率半径ｄと菜容器（２）の円弧壁（１９ａ）の曲率半径ｄをほぼ等しく構成しており、
　外ケース（３）は、収納室（２８）の両端部をほぼ対称をなして外方に向けて円弧状に膨出するように一方の湾曲壁（４ａ、５ａ）と他方の湾曲壁（４ｂ、５ｂ）を形成しており、
　飯容器収納室（２８ａ）と菜容器収納室（２８ｂ）のうち、飯容器（１）の円筒壁（６ａ）を何れか一方の収納室（２８ａ）の湾曲壁（４ａ、５ａ）に沿わしめて収納すると共に、菜容器（２）の円弧壁（１９ａ）を何れか他方の収納室（２８ｂ）の湾曲壁（４ｂ、５ｂ）に沿わしめて収納して成ることを特徴とする請求項１に記載の弁当箱。
【請求項３】
菜容器（２）が上下に積層された下側の第一菜容器（２ａ）と上側の第二菜容器（２ｂ）とから構成されており、菜容器収納室（２８ｂ）に収納した状態で、第一菜容器（２ａ）が下部ケース体（４）の内部に位置し、第二菜容器（２ｂ）が上部ケース体（５）の内部に位置するように構成して成ることを特徴とする請求項１又は２に記載の弁当箱。
【考案の詳細な説明】
【技術分野】
【０００１】
　本考案は、携帯自在な弁当箱に係り、特に、飯容器と菜容器を外ケースに取出自在に収納して成る弁当箱に関する。
【背景技術】
【０００２】
　従来、種々の弁当箱が提供されているが、米飯と惣菜を分離して収納せしめるため、飯容器と菜容器を別個独立に設け、両容器を組合せ結合したものが好評を博している。
【０００３】
　例えば、従来公知の弁当箱は、飯容器と菜容器を多段式に積層し、下側の容器の上部開口を上側の容器の底部により施蓋せしめ、最上層の容器の上部開口を蓋体により施蓋し、蓋体に設けた一対の回動自在な耳片を最下層の容器の係止片に着脱自在に係止することにより、積層された容器を一体的に組合せた構成としている。
【特許文献１】特開平９−１５４６１７号公報
【考案の開示】
【考案が解決しようとする課題】
【０００４】
　一般的に、米飯や惣菜は、調理された直後に飯容器及び菜容器に収納されるため、高温状態とされている。通常、惣菜は冷め易いが、米飯は冷め難く比較的長時間にわたり温い状態を維持する。
【０００５】
　このため、前述のような飯容器と菜容器を多段式に積層した弁当箱によれば、所定時間を経過することにより菜容器に収納された惣菜が冷めた後においても、飯容器が温められた状態を持続しているから、上下に積層された飯容器から菜容器に対する熱の伝達により、惣菜が温められ腐敗し易い環境を生成し、食中毒の原因となる虞れがある。
【課題を解決するための手段】
【０００６】
　本考案は、上記課題に鑑み、飯容器から菜容器に対する熱の伝達を防止すると共に、菜容器を冷め易いように構成した弁当箱を提供するものである。
【０００７】
　そこで、本考案が第一の手段として構成したところは、飯容器と菜容器を外ケースに取出自在に収納して成る弁当箱において、飯容器は、断熱保温性を有する器体と、該器体の開口部を開閉自在に施蓋すると共に断熱保温性を有する蓋体とから成り、菜容器は、保温性を有しない器体と、該器体の開口部を開閉自在に施蓋すると共に保温性を有しない蓋体とから成り、外ケースは、上部に開口部を有する保温性を有しない下部ケース体と、下部に開口部を有する保温性を有しない上部ケース体とから構成され、下部ケース体の上部開口縁に上部ケース体の下部開口縁を着脱自在に連結した状態で、外ケースの内部に横長状の収納室を形成して成り、前記収納室は、一側半部に飯容器収納室を形成すると共に、他側半部に菜容器収納室を形成して成る点にある。
【０００８】
　また、本考案が第二の手段として構成したところは、飯容器の器体が横断面をほぼ円形にすることにより円筒壁を形成すると共に、菜容器の器体が横断面をほぼＤ形にすることにより円弧壁と平坦壁を形成し、飯容器の円筒壁の曲率半径と菜容器の円弧壁の曲率半径をほぼ等しく構成しており、外ケースは、収納室の両端部をほぼ対称をなして外方に向けて円弧状に膨出する湾曲壁により形成されており、飯容器収納室と菜容器収納室のうち、飯容器の円筒壁を何れか一方の収納室の湾曲壁に沿わしめて収納すると共に、菜容器の円弧壁を何れか他方の収納室の湾曲壁に沿わしめて収納して成る点にある。
【０００９】
　更に、本考案が第三の手段として構成したところは、菜容器が上下に積層された下側の第一菜容器と上側の第二菜容器とから構成され、菜容器収納室に収納した状態で、第一菜容器が下部ケース体の内部に位置し、第二菜容器が上部ケース体の内部に位置するように構成して成る点にある。
【考案の効果】
【００１０】
　請求項１に記載の本考案によれば、飯容器１と菜容器２を別個独立に構成した弁当箱において、米飯Ｘを断熱保温性のある飯容器１に収納することにより熱を封じ込める一方、惣菜Ｙを保温性のない菜容器２に収納することにより熱を放出せしめ、しかも、飯容器１と菜容器２をそれぞれ外ケース３の収納室２８ａ、２８ｂに区分けして収納せしめる構成であるから、従来のように飯容器から菜容器に対する熱の伝達により惣菜を温め腐敗し易い環境を生成することはなく、食中毒からの安全性を保証できるという効果がある。
【００１１】
　また、請求項２に記載の本考案によれば、外ケース３の収納室２８が一側半部の収納室２８ａと他側半部の収納室２８ｂをほぼ対称形となる湾曲壁４ａ、５ａ並びに４ｂ、５ｂにより形成しており、飯容器１の円筒壁６ａと、菜容器２の円弧壁１９ａを前記湾曲壁に沿わせて収納する構成であるから、飯容器１及び菜容器２を収納室２８ａと収納室２８ｂの何れに対しても選択的に収納せしめることが可能であり、収納配置の自在性による利便性がある。
【００１２】
　そして、菜容器２は横断面をほぼＤ形に形成しているので、収納室２８ａ、２８ｂの何れに収納した状態においても自由に回動することなく惣菜の型崩れ等の防止に資することができ、しかも、近接して対面させられた円弧壁１９ａと湾曲壁４ｂ、５ｂ（又は４ａ、５ａ）を介して惣菜の放熱を良好ならしめる。そして、菜容器２の横断面ｄをほぼＤ形としたことにより、隣接する飯容器１との間のデッドスペースを可及的小さくしながら菜容器２の容量を確保することができるという効果がある。
【００１３】
　更に、請求項３に記載の本考案によれば、上述の効果を維持しながら、菜容器２を小分けすることが可能であり、豊富な種類の惣菜を分離独立した状態で収納することができ、しかも、第一菜容器２ａ及び第二菜容器２ｂの収納及び取出しが容易であるという便利がある。
【考案を実施するための最良の形態】
【００１４】
　以下図面に基づいて本考案の好ましい実施形態を詳述する。
【００１５】
　図１及び図２に示すように、弁当箱は、断熱保温性を有する飯容器１と、断熱保温性を有しない菜容器２と、これらの両容器１、２を取出自在に収納する外ケース３とから構成されており、更に、外ケース３は、下部ケース体４と上部ケース体５により構成されている。
【００１６】
（飯容器の構成）
　飯容器１は、断熱保温性を有する有底の円筒状の器体６と、同様に断熱保温性を有すると共に該器体６の上部の開口部７を開閉自在に施蓋する蓋体８とから構成されている。従って、器体６は横断面をほぼ円形（図例では真円形）にすることにより曲率半径ｄとされた円筒壁６ａを備えている。
【００１７】
　図２に示すように、器体６は、ステンレス製の内外二重壁９ａ、９ｂから成る真空断熱保温容器を構成しており、外壁９ｂの底部に形成した凹部に円板状の合成樹脂製の座板１０を固着している。一方、蓋体８は、上面に直径方向に延びる摘み部１１を挟んで凹部１２、１２を形成した合成樹脂製の上板部１３と、該上板部１３の下側に固着された合成樹脂製の椀部１４とから形成され、該椀部１４の中空内部に発泡スチロール等の断熱材１５を充填することにより断熱保温蓋を構成している。
【００１８】
　蓋体８により器体６の開口部７を施蓋するに際しては、蓋体８の椀部１４が開口部７に挿入される栓を構成し、椀部１４の外周突条と内壁９ａの内周突条により形成された係止手段１６を係止する。この状態で、椀部１４の外周に延びる上板部１３の下向き折曲片１７が器体６の開口縁を包囲すると共に、該折曲片１７の内側に設けたシールパッキン１８が器体６の開口縁に密接する。
【００１９】
（菜容器の構成）
　菜容器２は、保温性を有しない有底の器体１９と、同様に保温性を有せず器体１９の上部の開口部２０を開閉自在に施蓋する蓋体２１とから構成されている。器体１９は横断面をほぼＤ形にすることにより曲率半径ｄとされた円弧壁１９ａと、円弧壁の両端を連結する平坦壁１９ｂを備えている。尚、円弧壁１９ａの曲率半径ｄは、飯容器１の円筒壁６ａの曲率半径ｄとほぼ等しい。
【００２０】
　図２に示すように、器体１９は、合成樹脂により一体成形され、底部に突座２２を設けると共に、開口縁の近傍において外周に延びるフランジ２３を形成している。一方、蓋体２１は、器体１９の開口縁に外嵌される周壁２４を有する下向きの皿状に形成され、頂面に凹陥部２５を設けている。図例の場合、平面視Ｄ形の蓋体２１に対して、凹陥部２５が相似形のＤ形を描いて延びる溝により構成されている。
【００２１】
　図示の実施形態において、菜容器２は、上下に積層自在な下側の第一菜容器２ａと上側の第二菜容器２ｂとから構成されている。一対の菜容器２ａ、２ｂは、同一構成のものであり、従って、器体１９及び蓋体２１に関する上述の構成は同一符号で示している。
【００２２】
（外ケースの構成）
　外ケース３を構成する下部ケース体４及び上部ケース体５は、それぞれ合成樹脂により一体成形されており、断熱保温性を有しない。下部ケース体４は上部に開口部２６を設け、上部ケース体５は下部に開口部２７を設けており、下部ケース体４の上部開口縁に上部ケース体５の下部開口縁を嵌合した状態で、外ケース３の内部に横長の収納室２８を形成する。図例の場合、上下からの嵌合を可能とする嵌合段部２９が相互の開口縁に形成されている。尚、図示省略しているが、下部ケース体４と上部ケース体５を嵌合し組合せた状態で、外ケース３の外周に弾性バンドが着脱自在に締着される。
【００２３】
　横長状の収納室２８を構成する下部ケース体４及び上部ケース体は、両端部をほぼ対称形をなして外方に向けて円弧状に膨出する湾曲壁４ａ、５ａ及び４ｂ、５ｂにより形成されており、湾曲壁４ａ、５ａと湾曲壁４ｂ、５ｂの曲率半径は相互にほぼ等しく、それぞれの内側面に飯容器１の円筒壁６ａと菜容器２の円弧壁１９ａをほぼ合致して沿わしめることが可能である。
【００２４】
　そこで、横長状の収納室２８は、一側半部により飯容器収納室２８ａを構成し、他側半部により菜容器収納室２８ｂを構成する。
【００２５】
（作用）
　上記構成に基づく弁当箱によれば、炊きたての米飯Ｘは、飯容器１に入れられる。飯容器１は、真空二重壁構造の器体６を断熱性の蓋体８により施蓋されるので、米飯Ｘを断熱状態で保有する。一方、調理後の惣菜Ｙは菜容器２に入れられる。菜容器２は、保温性を有しない器体１９を同様に保温性を有しない蓋体２１により施蓋されるので、収納時には惣菜Ｙが高温とされる場合でも、速やかに放熱され常温まで冷却される。
【００２６】
　外出等、弁当箱を携帯するに際して、飯容器１は、飯容器収納室２８ａに位置して下部ケース体４に収納される。図２に示すように、下部ケース体４の底部には、飯容器１の器体底部の座板１０を嵌合せしめる凹部３０が係止されているので、飯容器１が遊動することはない。この状態で、飯容器１は、ほぼ下半部を下部ケース体４に収納されるが、ほぼ上半部は突出状に露出する。
【００２７】
　菜容器２は、第一菜容器２ａと第二菜容器２ｂを積層され、菜容器収納室２８ｂに位置して下部ケース体４に収納される。この際、下側に位置する第一菜容器２ａにおける蓋体２１の凹陥部２５に、上側に位置する第二菜容器２ｂにおける器体１９の突座２２が嵌合係止し、相互の遊動を阻止する。この状態で、第一菜容器２ａが下部ケース体４に収納されるが、第二菜容器２ｂの大部分は下部ケース体４よりも突出し露出する。
【００２８】
　その後、上部ケース体５を、飯容器１の突出した上半部と第二菜容器２ｂを覆いかぶせるようにして下部ケース体４の上部に配置し、嵌合段部２９を嵌合せしめると共に、図示省略した弾性バンドにより分離不能に締着する。
【００２９】
　弁当箱の携帯中、米飯Ｘの熱は、断熱保温性を有する飯容器１の内部に封じ込められており、従って、器体６及び蓋体８は外側表面に熱を帯びることはない。一方、調理後に熱を有していた惣菜Ｙは、保温性を有しない菜容器２を介して外部に放熱され常温まで冷却される。しかも、外ケース３を構成する下部ケース体４及び上部ケース体５は保温性を有しないから、菜容器２から放出される熱は外ケース３を介して外部に容易に放熱される。その結果、従来のように惣菜Ｙが温められ腐敗する危険性は極めて低いものとなる。
【００３０】
　上述の構成から明らかなように、収納室２８は、一側半部の収納室２８ａと他側半部の収納室２８ｂをほぼ対称形に形成しているから、図例のように飯容器１を一側半部の収納室２８ａに収納すると共に菜容器２を他側半部の収納室２８ｂに収納する他、その配置を反対として、菜容器２を一側半部の収納室２８ａに収納すると共に飯容器１を他側半部の収納室２８ｂに収納することも可能であり、配置に自在性がある。そして、何れの収納形態においても、飯容器１の円筒壁６ａが一方の湾曲壁４ａ、５ａ（又は４ｂ、５ｂ）に概ね合致して沿わしめられ、菜容器２の円弧壁１９ａが他方の湾曲壁４ｂ、５ｂ（又は４ａ、５ａ）に概ね合致して沿わしめられる。
【００３１】
　この点に関して、菜容器２を円筒状に形成した場合は、収納室２８の内部において湾曲壁４ｂ、５ｂ（又は４ａ、５ａ）に沿って自由に回動し、収納した惣菜の型崩れ等を生じる問題があり、しかも、隣接して収納された飯容器１と菜容器２の間に大きなデッドスペースを生じる問題がある。これに対して、上記構成によれば、菜容器２を円弧壁１９ａと平坦壁１９ｂを備えた横断面ほぼＤ形に形成しているので、収納室２８の内部における自由な回動が阻止され惣菜の型崩れ等の防止に資すると共に、相互に大きな空間を有せずに沿わしめられた円弧壁１９ａと湾曲壁４ｂ、５ｂ（又は４ａ、５ａ）による菜容器２の放熱の良好性を担保し、更には、隣接する飯容器１との間に生じるデッドスペースを可及的小さくすることができ、菜容器２の容量確保に貢献しながら、しかも、飯容器１と菜容器２の接点（近接する部分）は、平坦壁１９ｂに対向する円筒壁６ａの部分的表面に過ぎないから、菜容器２に対する飯容器１からの熱影響を防止するという本考案の目的に適うものとなる。
【図面の簡単な説明】
【００３２】
【図１】本考案の１実施形態の分解状態を示す斜視図である。
【図２】本考案の１実施形態の組付け状態を示す縦断面図である。
【符号の説明】
【００３３】
　　１　　飯容器
　　２　　菜容器
　　３　　外ケース
　　４　　下部ケース体
　　４ａ、４ｂ　湾曲壁
　　５　　上部ケース体
　　５ａ、５ｂ　湾曲壁
　　６　　飯容器の器体
　　６ａ　円筒壁
　　８　　飯容器の蓋体
　１９　　菜容器の器体
　１９ａ　円弧壁
　１９ｂ　平坦壁
　２１　　菜容器の蓋体
　２８　　収納室
　２８ａ　飯容器収納室
　２８ｂ　菜容器収納室
【図１】
0003100210.tif 000003
【図２】
0003100210.tif 000004